(57)【要約】【課題】図面作成の情報を入力する設計者に分かり易く、扱い易くした図面自動生成方法及び図面自動生成システムを提供すること。【解決手段】設計対象の三次元モデルに関するデータを格納するデータベース１２と、設計対象の諸元等に関するデータを入力するためのデータ入力画面１４を画面上に表示する表示装置１６と、データベース１２に格納されたデータと表示装置１６のデータ入力画面１４に対して入力されたデータを基に設計対象の図面を自動生成して出力する図面生成出力装置１８とを備え、表示装置１６は、データ入力画面１４に、生成後の図面２００に記載される諸元項目２０１〜１１６の位置に対応づけて、データ入力領域１０１〜１１６を表示し、図面生成出力装置１８は、生成された設計対象の図面２００の諸元項目２０１〜２１６にそれぞれ諸元等の情報を付加して出力する。【選択図】図１
2008198068.tif 000002
【特許請求の範囲】
【請求項１】
コンピュータ資源を用いて、設計対象の三次元モデルに関する諸元データと納入時に必要なデータや製品製作時に必要な指示データを基に前記設計対象に関する二次元の図面を生成して出力する図面自動生成方法において、前記諸元データを入力するためのデータ入力画面を表示装置の画面上に表示するときに、前記データ入力画面に、生成後の図面に記載される諸元項目群に対応づけてデータ入力領域群を表示する第１のステップと、前記データ入力画面のデータ入力領域群に入力されたデータを基に前記設計対象の図面を生成するとともに、前記設計対象の図面の諸元項目群にそれぞれ諸元の情報を付加して出力する第２のステップと、を含むことを特徴とする図面自動生成方法。
【請求項２】
請求項１に記載の図面自動生成方法において、前記第１のステップでは、前記データ入力領域群をそれぞれ前記諸元項目群の位置に対応づけて前記データ入力画面に表示することを特徴とする図面自動生成方法。
【請求項３】
設計対象の三次元モデルに関するデータを格納する三次元モデルデータベースと、前記設計対象の諸元に関するデータを入力するためのデータ入力画面を画面上に表示する表示装置と、前記データ入力画面のデータ入力領域群に入力されたデータと前記三次元モデルデータベースに格納されたデータを基に前記設計対象の図面を生成するとともに、前記設計対象の図面の諸元項目群にそれぞれ諸元の情報を付加して出力する図面生成出力装置と、を備え、前記表示装置は、前記データ入力画面に、生成後の図面に記載される諸元項目群に対応づけてデータ入力領域群を表示し、前記図面生成出力装置は、前記生成された設計対象の図面の諸元項目群にそれぞれ諸元の情報を付加して出力してなる図面自動生成システム。
【請求項４】
請求項３に記載の図面自動生成システムにおいて、前記表示装置は、前記データ入力領域群をそれぞれ前記諸元項目群の位置に対応づけて前記データ入力画面に表示してなることを特徴とする図面自動生成システム。
【請求項５】
コンピュータに請求項１または２に記載の各ステップを実行させるためのプログラム。
【請求項６】
請求項５に記載のプログラムが記録された記憶媒体。
【発明の詳細な説明】
【技術分野】
【０００１】
本発明は、コンピュータを用いて機械図面を自動生成するように構成された図面自動生成方法および図面自動生成システムに関する。
【背景技術】
【０００２】
機械設計を行う場合、顧客との契約の取り交わしや生産工場への設計情報の伝達のために、図面としては、用途や提出先に応じて各種の形式で製図することが要求されている。そこで、ＣＡＤを用いて製品形状を設計し、２次元で表現される図面を作成することが行われている。この場合、例えば、図５に示すように、表示装置の画面上に、図面作成画面３００を表示し、図面作成画面３００上に、必要最小限の入力項目３０１〜３１３を、必須入力を意味するものとして表示し、入力項目３１４、３１５、３１６を、任意入力を意味するものとして表示し、設計者により、各項目３０１〜３１６に客先名、使用個所、……、注記に関する情報が入力されたときに、入力された情報を基にＣＡＤを用いて機械図面を自動生成することが行われていた。
【発明の開示】
【発明が解決しようとする課題】
【０００３】
図面作成画面３００上に、必要最小限の入力項目（必須入力項目）３０１〜３１３だけを左側の領域に並べて表示し、右側の領域には任意の入力項目３１４〜３１６を表示し、必須入力項目３０１〜３１３に、各種情報を入力することを設計者に促すようにすることで、作業性を高めることはできるが、図面作成画面３００上に表示された入力項目３０１〜３１３と、生成された図面に記載された各項目との間の対応関係が明確ではないので、設計者が必須入力項目３０１〜３１３に、各種情報を入力するときに、出力後（生成後）の図面をイメージすることができなかった。また、入力枠の名称から図面記載項目を判断して数値を入力していたので、誤入力したり、入力漏れが発生したりすることがある。しかも、システムの使用に慣れていない設計者にとってはどのように使用してよいか分かりづらかった。
【０００４】
本発明の目的は、図面作成の情報を入力する設計者に分かり易く、扱い易くした図面自動生成方法及び図面自動生成システムを提供することにある。
【課題を解決するための手段】
【０００５】
前記目的を達成するために、本発明は、コンピュータ資源を用いて、設計対象の三次元モデルに関する諸元データと納入時に必要なデータや製品製作時に必要な指示データを基に前記設計対象に関する二次元の図面を生成して出力する図面自動生成方法において、前記諸元データを入力するためのデータ入力画面を表示装置の画面上に表示するときに、前記データ入力画面に、生成後の図面に記載される諸元項目群に対応づけてデータ入力領域群を表示する第１のステップと、前記データ入力画面のデータ入力領域群に入力されたデータを基に前記設計対象の図面を生成するとともに、前記設計対象の図面の諸元項目群にそれぞれ諸元の情報を付加して出力する第２のステップと、を含むことを特徴とする図面自動生成方法を採用したものである。
【０００６】
係る構成によれば、データ入力画面に、生成後の図面に記載される諸元項目群に対応づけてデータ入力領域群が表示されるので、図面作成の情報を入力する設計者に分かり易く、使い易くすることができるとともに、誤入力や入力漏れを防止できる。
この場合、第１のステップにおいて、データ入力領域群をそれぞれ諸元項目群の位置に対応づけてデータ入力画面に表示することで、図面作成の情報を入力する設計者に、より分かり易く、より使い易くすることができる。
【０００７】
また、本発明は、設計対象の三次元モデルに関するデータを格納する三次元モデルデータベースと、前記設計対象の諸元に関するデータを入力するためのデータ入力画面を画面上に表示する表示装置と、前記データ入力画面のデータ入力領域群に入力されたデータと前記三次元モデルデータベースに格納されたデータを基に前記設計対象の図面を生成するとともに、前記設計対象の図面の諸元項目群にそれぞれ諸元の情報を付加して出力する図面生成出力装置と、を備え、前記表示装置は、前記データ入力画面に、生成後の図面に記載される諸元項目群に対応づけてデータ入力領域群を表示し、前記図面生成出力装置は、前記生成された設計対象の図面の諸元項目群にそれぞれ諸元の情報を付加して出力してなる図面自動生成システムを構成したものである。
【０００８】
係る構成によれば、データ入力画面に、生成後の図面に記載される諸元項目群に対応づけてデータ入力領域群が表示されるので、図面作成の情報を入力する設計者に分かり易く、使い易くすることができるとともに、誤入力や入力漏れを防止できる。
この場合、表示装置を、データ入力領域群をそれぞれ諸元項目群の位置に対応づけてデータ入力画面に表示してなる構成とすることで、図面作成の情報を入力する設計者に、より分かり易く、より使い易くすることができる。
【０００９】
また、コンピュータに、前記図面自動生成方法における各ステップを実行させるためのプログラムを構成したり、このプログラムが記録された記憶媒体を構成したりすることができる。
【発明の効果】
【００１０】
本発明によれば、図面作成の情報を入力する設計者に、分かり易く、使い易くすることができるとともに、誤入力や入力漏れを防止できる。
【発明を実施するための最良の形態】
【００１１】
以下、本発明の実施の形態を図面に基づいて説明する。図１は、本発明の一実施の形態を示す図面自動生成システムのブロック構成図である。図１において、図面自動生成システム１０は、設計対象、例えば、軸受の三次元モデルに関するデータ（三次元モデルデータ）や形状データ等を格納するデータベース１２と、設計対象の諸元等に関するデータを入力するためのデータ入力画面１４を画面上に表示する表示装置１６と、データベース１２に格納されたデータと表示装置１６のデータ入力画面１４に対して入力されたデータを基に所定の動作プログラムに従って設計対象の図面（機械図面）を自動生成して出力する図面生成出力装置１８と、を備えて構成されている。
【００１２】
表示装置１６は、データ入力画面１４に、図２に示すように、図面表示領域１００の周囲にデータ入力領域１０１〜１１６を表示するようになっている。この際、表示装置１６は、データ入力画面１４には、図３に示す生成後（出力後）の図面２００に記載される諸元項目２０１〜２１６の位置に対応づけて、データ入力領域１０１〜１１６を表示するようになっている。
【００１３】
一方、図面生成出力装置１８は、メモリやプロセッサなどを備えたコンピュータ資源で構成されており、データベース１２に格納されたデータと表示装置１６のデータ入力画面１４に対して入力されたデータを基に所定の動作プログラムに従って設計対象の図面（機械図面）を自動生成し、生成された設計対象の図面２００の諸元項目２０１〜２１６にそれぞれ諸元等の情報を付加して出力するようになっている。
次に、本実施の形態における図面自動生成システム１０の作用を図４のフローチャートに従って説明する。
【００１４】
まず、客先からの条件（仕様）として、設計対象、例えば、軸受に関する客先情報を入力し（Ｓ１）、続いて、客先の条件を満たすことのできる既存品（軸受）があるかを検索し（Ｓ２）、検索結果から既存品を採用するか、あるいは新規設計を行うかの設計検討を行う（Ｓ３）。ここで、既存品（軸受）を流用するときには、既存品の諸元データを取り出して、その内容を確認し、諸元以外の数値は図面生成出力装置１８に入力する。一方、新規設計を行うときには、軸受の設計に必要最低限の寸法を入力し、軸受に必要な数値を図面生成出力装置１８で算出し、算出結果を検討する。
【００１５】
次に、軸受に必要な数値が求められた後は、軸受に必要な数値とデータベース１２に格納された３次元モデルデータを基に軸受の３次元モデルを作成する（Ｓ４）。この後、図面生成出力装置１８は、作成された３次元モデルを利用して、軸受に関する２次元図面を自動で生成するに先立って、表示装置１６の画面上に、データ入力画面１４を表示させるとともに、データ入力画面１４に、図２に示すように、図面表示領域１００の周囲に、図３に示す生成後（出力後）の図面２００に記載される諸元項目２０１〜１１６の位置に対応づけて、データ入力領域１０１〜１１６をウインドウとして表示させる（Ｓ５）。
【００１６】
ここで、設計者は、データ入力画面１４の各データ入力領域１０１〜１１６を見ながら、各データ入力領域１０１〜１１６に対して、軸受の諸元等に関するデータを順次入力する。例えば、データ入力領域１０１には、客先名を入力し、データ入力領域１０２には、使用箇所、データ入力領域１０３には、潤滑方法を入力し、・・・・・、データ入力領域１１３には、図番を入力し、データ入力領域１１４には、備考に関する情報を入力し、データ入力領域１１５、１１６には、それぞれ注記に関する情報を入力する。
【００１７】
この際、各データ入力領域１０１〜１１６の位置は、出力される図面２００の諸元項目２０１〜２１６の位置にそれぞれ対応しているので、図面作成の情報を入力する設計者は、より分かり易く、より使い易い状態で、各種のデータや情報を各データ入力領域１０１〜１１６に入力することができ、データの入力操作を円滑に行うことができる。なお、データ入力領域１０２〜１１３はデータの必須入力領域であるが、データ入力領域１０１、１１４〜１１６はデータの任意入力領域である。また、他のデータ入力領域はデータの入力を不要とする領域を意味している。
【００１８】
各データ入力領域１０１〜１１６に対するデータ入力操作が完了すると、図面生成出力装置１８は、生成した３次元モデルと入力されたデータを基に軸受に関する図面（機械図面）２００を自動生成するとともに、生成された図面２００の諸元項目２０１〜２１６にそれぞれ諸元等に関する情報、例えば、諸元項目２０１には、客先名を付加し、諸元項目２０２には、使用箇所を付加し、諸元項目２０３には、潤滑方法を付加し、・・・・・、諸元項目２１３には、図番を付加し、諸元項目２１４には、備考に関する情報を付加し、諸元項目２１５、２１６には、それぞれ注記に関する情報を付加する。
【００１９】
本実施の形態によれば、軸受の諸元等に関するデータを入力する際に、データ入力画面１００に、生成後（出力後）の図面２００に記載される諸元項目２０１〜１１６の位置に対応づけて、データ入力領域１０１〜１１６をウインドウとして表示するようにしたため、図面作成の情報を入力する設計者は、より分かり易く、より使い易い状態で、各種のデータや情報を各データ入力領域１０１〜１１６に入力することができ、データの入力操作を円滑に行うことができるとともに、誤入力や入力漏れを防止できる。
【図面の簡単な説明】
【００２０】
【図１】本発明の一実施の形態を示す図面自動生成システムのブロック構成図である。
【図２】データ入力画面の構成図である。
【図３】出力図面の構成図である。
【図４】図面自動生成システムの作用を説明するためのフローチャートである。
【図５】従来のデータ入力画面の構成図である。
【符号の説明】
【００２１】
１０  図面自動生成システム
１２  データベース
１４  データ入力画面
１６  表示装置
１８  図面生成出力装置
【図１】
2008198068.tif 000003
【図２】
2008198068.tif 000004
【図３】
2008198068.tif 000005
【図４】
2008198068.tif 000006
【図５】
2008198068.tif 000007